(57)【要約】  フォトセラピー用の無電極型ランプであって、アーク形成および維持媒体を含んでいる閉ループ容器を有している。当該容器の内面の燐光性コーティングによって、２５４ｍｍ放射線からの励起に反応して可視放射線が生成される。当該可視放射線は１２０００μＷ／ｃｍ２＜の５００〜８００ｎｍの領域のエネルギー出力を有している。前記容器の一部分上に形成された反射体は、前記可視放射線を放出するためのウィンドウを残しており、出力要求を集中する。２５４ｎｍの放射線を生成するためのＲＦ励起を提供するために、手段がランプと共に形成されている。このランプは、容易なオペレータ操作および良好な患者アクセスを可能にする効果領域を有している。
2009537956.tif 000002
【特許請求の範囲】
【請求項１】
フォトセラピー用の無電極型ランプであって、
アーク形成および維持媒体を含んでいる閉ループ容器を有しており；
当該容器の内面に燐光性コーティングを有しており、当該コーティングによって、２５４ｍｍ放射線からの励起に反応して可視放射線が生成され、当該可視放射線は１２０００μＷ／ｃｍ２≦の５００〜８００ｎｍの領域のエネルギー出力を有しており；
反射体を有しており、当該反射体は、前記可視放射線を放出するためのウィンドウを残した前記容器の一部分上に形成されており；
前記２５４ｎｍの放射線を生成するためのＲＦ励起を提供する、前記ランプと共に形成された手段を有している、
ことを特徴とする、フォトセラピー用の無電極型ランプ。
【請求項２】
前記容器は約３４２．５ｃｍ２の領域を取り囲む、請求項１記載のランプ。
【請求項３】
前記燐光体はＹ２Ｏ３：Ｅｕである、請求項１記載のランプ。
【請求項４】
前記燐光体はＧｄ（Ｚｎ，Ｍｇ）Ｂ５Ｏ１０：Ｃｅ，Ｍｎである、請求項１記載のランプ。
【請求項５】
前記燐光体は、Ｍｇ４（Ｆ）ＧｅＯ６：Ｍｎである、請求項１記載のランプ。
【請求項６】
前記燐光体は、Ｍｇ４（Ｆ）（Ｇｅ，Ｓｎ）Ｏ６：Ｍｎである、請求項１記載のランプ。
【請求項７】
前記可視放射線は６００〜６６０ｎｍの領域にある、請求項１記載のランプ。
【請求項８】
前記可視放射線は６００〜６２０ｎｍの領域にあり、０．５〜１ｎｍの帯域幅を有している、請求項１記載のランプ。
【発明の詳細な説明】
【技術分野】
【０００１】
関連出願へのクロスレファレンス
本願は２００６年５月１７日出願の係争中の特許出願Ｓ．Ｎ．６０．８０１，１５７号の優先権を主張するものである。
【０００２】
技術分野
本発明は、無電極型蛍光ランプに関し、より詳細にはフォトセラピーに使用される無電極型蛍光ランプに関する。
【０００３】
背景技術
フォトセラピーは医療団体において、殊に、種々の肌不調を治療するために用いられている。治療では主に患者に特定の薬を与え、次に、患者に特定の可視または不可視の（例えばＵＶ）放射線を放射することによってこれらの薬を活性化する。所望の放射線を生成するために、種々の光源が使用される。これらの光源の重要な特徴は以下のものである：放射されるパワー；パワーの帯域幅、パワーの均一性；時間のパワー低下（保持力とも称される）。有利には種々の光源が使用され、これは一般的に延長された蛍光管を含んでいる。この管は使用可能であるが、種々の操作上の問題を有している。
【０００４】
発明の開示
従って本発明の課題は、従来技術の欠点を除去することである。
【０００５】
本発明の別の課題は、病気の治療における従来の欠点を低減させることである。
【０００６】
上述の課題は、本発明の１つの観点では、以下のものを有しているフォトセラピー用の無電極型ランプを提供することによって解決される。すなわち：アーク形成および維持媒体を含んでいる閉ループ容器を有している；当該容器の内面に燐光性コーティングを有しており、このコーティングによって、２５４ｍｍ放射線からの励起に反応して可視放射線が生成され、この可視放射線は１２０００μＷ／ｃｍ２≦の５００〜８００ｎｍの領域のエネルギー出力を有している；反射体を有しており、これは、前記可視放射線を放出するためのウィンドウを残した前記容器の一部分上に形成されている；前記２５４ｎｍの放射線を生成するためのＲＦ励起を提供する、前記ランプと共に形成された手段を有している。
【０００７】
この無電極型ランプは長い寿命の見込みを有しており、所望の電力要求に応えることができる。
【０００８】
図面の簡単な説明
図１は、本発明のアスペクトに従った、無電極型ランプの側方、立面図であり、
図２は、本発明の平面図であり、
図３は、特定の燐光体を伴ったランプのスペクトルパワー分布のグラフである。
【０００９】
発明を実施するための最良の形態
他の課題およびさらなる課題、本発明の利点および能力とともに本発明をより良く理解するために、以下の開示内容および添付された特許請求の範囲を上述の図面と関連して参照されたい。
【００１０】
ここで詳細な図面を参照されたい。図１には、フォトセラピー用の、無電極型ランプ１０が示されている。ここでこのランプは、アーク形成および維持媒体を含んでいる閉ループ容器を有している。この媒体は、水銀を含んでいる。燐光性コーティングが容器１２の内面に設けられている。この燐光性コーティングは、２５４ｍｍ放射線からの励起に反応して可視放射線を生成することができ、１２０００μＷ／ｃｍ２≦の５００〜８００ｎｍの領域のエネルギー出力を有する可視放射線を提供する。本発明の有利な実施形態では、燐光はＹ２０３：Ｅｕである。これは、０．６ｎｍの帯域幅で６１１ｎｍでピークを有するスペクトル応答を有している；しかし、所望の放射線を提供するために他の燐光体、例えばＧｄ（Ｚｎ，Ｍｇ）Ｂ５Ｏ１０：Ｃｅ，Ｍｎ，Ｍｇ４（Ｆ）ＧｅＯ６：ＭｎまたはＭｇ４（Ｆ）（Ｇｅ，Ｓｎ）Ｏ６：Ｍｎまたは燐光体の混合物を使用することもできる。反射体を有している。図３に示された結果を生じさせる燐光体はＹ２Ｏ３：Ｅｕであり、その検討は、５００〜８００ｎｍ領域における全光束が約１３３７５μＷ／ｃｍ２であることを示している。
【００１１】
反射体１６は、前記可視放射線を放出するためのウィンドウ２０を残した容器１２の一部分１８上に形成されている。反射体１６は、セラピー用の目的のランプから放射されるパワーを増大させるために重要であり、容器の内側または外側で使用される。反射体層は有利には適切な材料特性を処理する粉体を含んでおり、可視放射線をランプウィンドウ２０へ向けて反射する。反射体の粉体使用量は５〜１５ｍｇ／ｃｍ２の間で変化し、Ｙ２Ｏ３：Ｅｕ燐光体が使用されている場合には、反射体材料は有利には、有利な７〜１２ｍｇ／ｃｍ２の使用量を有するアルファアルミナである。
【００１２】
従来の手段２４はランプ１０とともに形成されており、２５４ｎｍの放射線を生成するためにＲＦ励起を提供し、巻き線２６を伴った磁石コアを含んでいる。このような手段は例えばＵＳ特許第５８３４９０５号に記載されており、これは本発明の譲り受け人に割り当てられており、その教示は本願発明に参照として取り入れられている。ランプ１０は有利にはアルミニウム製の付属品によって保持されている。アマルガム先端部３０によって、ランプの排出および充填が可能であり、アーク形成および維持媒体の一部であるアマルガムに貯蔵部を提供する。
【００１３】
本発明の有利な実施形態では、容器は約２５０ｎｍ×１３７ｎｍの寸法を有しており、従って約３４２．５ｃｍ２の領域を取り囲む。この領域は例えば患者の顔の側面全体を十分に覆う。
【００１４】
容器１２内で形成された放電は、所望の２５４ｎｍ励起に対して付加的に、１８５ｎｍでの放射線も形成し、後者の放射線は容器内で燐光体を低下させ、ランプの寿命を短くすることが知られている。この作用を避けるために、アルミニウムコーティングが燐光体上に設けられる。このコーティングは１８５ｎｍ放射線を吸収するが、燐光体を活性化するために所望の２４５ｎｍ放射線を通過させる。
【００１５】
無電極型ランプ１０は、ＲＦ源から供給されるＲＦエネルギーを磁石コアを通じて誘導的に結合させ、電極が存在しないことによって、電気的な放電をサポートするために電極を使用する通常の蛍光ランプの寿命を越えて無電極型ランプの寿命が長くなる。
【００１６】
従って、長い寿命見込みを有し、実際のパターンにおけるコントロールされた均一の放射出力を有するセラピー用のランプが提供される。これによって、患者に近接したランプ操作において卓越したコントロールが可能になる。
【００１７】
現時点で、有利であると考えられる本発明の実施形態を示し、説明したが、当業者には種々の変更および修正が、添付の特許請求の範囲で規定された本発明の範囲を逸脱せずに行われることは明らかである。
【図面の簡単な説明】
【００１８】
【図１】本発明のアスペクトに従った、無電極型ランプの側方、立面図
【図２】本発明の平面図
【図３】特定の燐光を伴ったランプのスペクトルパワー分布のグラフ
【図１】
2009537956.tif 000003
【図２】
2009537956.tif 000004
【図３】
2009537956.tif 000005
【国際調査報告】
2009537956.tif 000006